(57)【要約】【課題】転写前の帯電に起因する画像乱れの発生を防ぐことができ、かつ小型で低コストの画像形成装置を提供する。【解決手段】給紙部から給送されたシートを搬送手段２１，２２により、像担持体３上に形成されたトナー像をシートに転写する転写部に搬送する。そして、この搬送手段２１，２２と、転写ローラ９と像担持体３とにより構成される転写部との間に、搬送手段２２により搬送されたシートＳを転写部へ導くガイド手段２７を設ける。さらに、このガイド手段２７のシートガイド面の下方にシート状の除電手段２８を配し、この除電手段２８により、転写部に搬送される前に、帯電したシートＳの除電を行うようにする。【選択図】      図２
2004299852.tif 000002
【特許請求の範囲】
【請求項１】
像担持体と、像担持体上に形成されたトナー像を給紙部から給送されたシートに転写する転写部とを備えた画像形成装置において、
前記給紙部から給送されたシートを前記転写部に搬送する搬送手段と、
前記搬送手段と前記転写部との間に設けられ、該搬送手段により搬送されたシートを転写部へ導くガイド手段と、
前記転写部に搬送される前に、帯電した前記シートを除電する除電手段と、
を備え、
前記除電手段を、前記ガイド手段のシートガイド面の下方に配したことを特徴とする画像形成装置。
【請求項２】
前記搬送手段は、軸部と、軸部に設けられた１つ又は複数のローラ部とを有し、前記除電手段は前記１つ又は複数のローラ部のシート搬送方向下流に設けられていることを特徴とする請求項１記載の画像形成装置。
【請求項３】
前記ガイド手段のシートガイド面に、前記除電手段を配するための凹部を設けたことを特徴とする請求項１記載の画像形成装置。
【請求項４】
前記搬送手段は、前記給紙部から給送されたシートと停止した状態で当接して該シートにループを形成することによりシートの斜行を補正した後、所定のタイミングで前記転写部に向けてシートの搬送を開始するレジストローラ対であることを特徴とする請求項１乃至３の何れか１項に記載の画像形成装置。
【請求項５】
前記搬送手段に、前記給紙部から給送されたシートと当接して該シートにループを形成することによりシートの斜行を補正し、かつ前記ループが所定の大きさとなると前記シートより押圧され、該シートが通過可能な位置に回動するシャッタ部材を設けたことを特徴とする請求項１乃至４の何れか１項に記載の画像形成装置。
【請求項６】
前記シャッタ部材は前記シートと当接する当接部を有し、前記当接部は、前記シャッタ部材が回動した際、前記ガイド手段のシートガイド面に臨む位置に設けられていることを特徴とする請求項５記載の画像形成装置。
【請求項７】
前記除電手段はシート状の導電性を有する部材で構成されていることを特徴とする請求項１乃至６の何れか１項に記載の画像形成装置。
【発明の詳細な説明】
【０００１】
【発明の属する技術分野】
本発明は、画像形成装置に関し、特に給紙部から給送される際、帯電したシートを除電する構成に関する。
【０００２】
【従来の技術】
従来、電子写真方式にて画像を形成する複写機、プリンタ等の画像形成装置においては、トナー像を形成担持する感光ドラム等の像担持体と、像担持体上に形成担持されたトナー像を給紙部から給送されたシートに転写する転写部とを備えている。
【０００３】
図９は、このような従来の画像形成装置の一例であるレーザビームプリンタの概略構成を示す図であり、同図において、１００はレーザビームプリンタであり、このレーザビームプリンタ１００は、不図示のレーザ光源、高速で回転するスキャナミラー１ａ、折り返しミラー１ｂを有するレーザスキャナ１と、画像形成を行う画像形成部２Ａと、シートＳを１枚ずつ分離給送する給紙部である給送ユニット５Ａ等を備えている。
【０００４】
ここで、画像形成部２Ａはプロセスカートリッジ２、転写ローラ９等を備え、給送ユニット５ＡはシートＳを積載する給紙カセット４、給紙カセット４に収納されたシートＳを送り出す給紙ローラ５、シートＳを１枚ずつ分離する分離パッド６等を備えている。
【０００５】
なお、プロセスカートリッジ２は像担持体である感光ドラム３と、これに作用するプロセス手段（帯電手段、現像手段、クリーニング手段）とを一体に備え、レーザビームプリンタ本体（以下、装置本体という）１００Ａに対して着脱可能になっている。
【０００６】
なお、同図において、１０はシートＳに転写されたトナー画像を加熱及び加圧することでトナー画像を定着させる定着ユニット、７は給紙ローラ５から給紙されたシートＳを搬送する搬送ローラ対、８は搬送ローラ対７により搬送されたシートＳの斜行を補正すると共に、シートＳを所定のタイミングで感光ドラム３と転写ローラ９とのニップにより構成される転写部に搬送するレジストローラ対である。
【０００７】
また、４ａは装置本体１００Ａに着脱自在に装着された給紙カセット４に設けられた中板であり、シートＳは、この中板４ａに載置されると共に、中板４ａを上方に付勢するバネ４ｂにより給紙ローラ５に圧接するようになっている。
【０００８】
次に、このように構成されたレーザビームプリンタ１００の画像形成動作を説明する。
【０００９】
不図示のパソコン等から画像情報が送られ、この画像情報を画像形成処理したコントローラボード１８がプリント信号を発すると、装置本体１００Ａに着脱自在に装着された給紙カセット４に積載されたシートＳは分離パッド６及び給紙ローラ５によって１枚ずつ給送され、この後、搬送ローラ対７を経てレジストローラ対８に送られる。
【００１０】
一方、このプリント命令と共に画像情報に基づきレーザスキャナ１からは画像情報をビットイメージにしたレーザ光Ｌが感光ドラム上に照射され、感光ドラム３の表面上に潜像が形成される。さらに、この潜像を現像することにより、感光ドラム上にトナー画像が形成される。
【００１１】
そして、このようにして感光ドラム上に形成されたトナー画像は、この後、レジストローラ対８によりトナー像の形成と同期して感光ドラム３と転写ローラ９とのニップ（転写部）に送り込まれたシートＳに、転写ローラ９に転写電圧を印加することによって転写される。
【００１２】
さらに、トナー画像が転写されたシートＳは、定着ユニット１０に送られ、定着ユニット１０によって加熱加圧されることにより、トナー画像が半永久的に定着される。この後、定着ユニット１０を通過したシートＳは排出ローラ対１１に送られ、排出部１５に排出される。
【００１３】
ところで、一般的にシートを搬送する搬送手段、同図においては、搬送ローラ対７及びレジストローラ対８は、駆動源に接続される駆動ローラ７ａ，８ａに従動ローラ７ｂ，８ｂを圧接させることによって構成され、その圧接部にシートＳを挟持しながら搬送して所定の位置へ送り込むようにしている。
【００１４】
ここで、これらのローラ対７，８は、普通紙をはじめ、薄紙や厚紙を含むさまざまな種類のシートを搬送する必要があるため、シートＳに対して十分な大きさのμ（摩擦係数）を保ち、且つ耐磨耗性も考慮したものを用いる必要がある。
【００１５】
そこで、従来は、このような特性を満足させるため、シートＳと直接当接するローラ部をクロロプレンゴム、ウレタンゴム、ポリウレタン系熱可塑性エラストマー、ＥＰＤＭ等で形成し、このような材料により形成されたローラ部を金属あるいはプラスチックで構成される軸に固着させたローラを用いていた。
【００１６】
しかしながら、このようなローラを用いた場合、ゴム等の部材と紙等のシートとでは摩擦帯電列上、シートの方がプラス側であるため、シートを搬送する場合、ローラ部がシートの非画像形成面と接触しながらシートを搬送するとき、相互の接触摩擦によりシートの非画像形成面側はプラス帯電、ローラ部の表面はマイナス帯電する傾向がある。この結果、特に低湿環境において高抵抗のシートを搬送する際には、シートは転写前に＋２ｋＶ以上の帯電電位を保持する場合がある。
【００１７】
そして、このような状態でシートが転写部へ送りこまれると、感光ドラム上に負極性のトナー像が担持されていた場合、感光ドラム３とシートＳが密着する以前から、シートの非画像形成側ではあるが、シートに生じている非常に大きな正電荷によりトナー像の転写が開始される。
【００１８】
そして、このように感光ドラム３とシートＳとが密着する以前からトナー像の転写が開始されると、転写位置からトナー像がずれ、またトナーの飛散を生じやすいので、結果的に画像乱れを生じることとなる。
【００１９】
【発明が解決しようとする課題】
そこで、このような画像乱れの発生を防ぐため、従来は、例えば転写部の手前に除電ブラシを配し、搬送ローラ対７及びレジストローラ対８等の搬送手段から搬送されたシートを、転写部の手前にて除電ブラシを介して接地することによって帯電を除去するようにしていた。
【００２０】
しかしながら、このように除電ブラシによりシートの除電を行うようにした場合、除電ブラシは高価であることから、装置のコストを上昇させる要因の一つになっていた。
【００２１】
また、除電ブラシは、シートＳと接触する際、搬送抵抗となってシートＳの搬送性を阻害しないようその長さ、位置を決定する必要があるが、このような除電ブラシを設けるためには一定のスペースが必要となり、装置の小型化に対する制約となっていた。
【００２２】
そこで、本発明は、このような現状に鑑みてなされたものであり、転写前の帯電に起因する画像乱れの発生を防ぐことができ、かつ小型で低コストの画像形成装置を提供することを目的とするものである。
【００２３】
【課題を解決するための手段】
本発明は、像担持体と、像担持体上に形成されたトナー像を給紙部から給送されたシートに転写する転写部とを備えた画像形成装置において、前記給紙部から給送されたシートを前記転写部に搬送する搬送手段と、前記搬送手段と前記転写部との間に設けられ、該搬送手段により搬送されたシートを転写部へ導くガイド手段と、前記転写部に搬送される前に、帯電した前記シートを除電する除電手段と、を備え、前記除電手段を、前記ガイド手段のシートガイド面の下方に配したことを特徴とするものである。
【００２４】
また本発明は、前記搬送手段は、軸部と、軸部に設けられた１つ又は複数のローラ部とを有し、前記除電手段は前記１つ又は複数のローラ部のシート搬送方向下流に設けられていることを特徴とするものである。
【００２５】
また本発明は、前記ガイド手段のシートガイド面に、前記除電手段を配するための凹部を設けたことを特徴とするものである。
【００２６】
また本発明は、前記搬送手段は、前記給紙部から給送されたシートと停止した状態で当接して該シートにループを形成することによりシートの斜行を補正した後、所定のタイミングで前記転写部に向けてシートの搬送を開始するレジストローラ対であることを特徴とするものである。
【００２７】
また本発明は、前記搬送手段に、前記給紙部から給送されたシートと当接して該シートにループを形成することによりシートの斜行を補正し、かつ前記ループが所定の大きさとなると前記シートより押圧され、該シートが通過可能な位置に回動するシャッタ部材を設けたことを特徴とするものである。
【００２８】
また本発明は、前記シャッタ部材は前記シートと当接する当接部を有し、前記当接部は、前記シャッタ部材が回動した際、前記ガイド手段のシートガイド面に臨む位置に設けられていることを特徴とするものである。
【００２９】
また本発明は、前記除電手段はシート状の導電性を有する部材で構成されていることを特徴とするものである。
【００３０】
【発明の実施の形態】
以下、本発明の実施の形態について図面を用いて詳細に説明する。ただし、この実施の形態に記載されている構成部品の寸法、材質、形状、その相対配置などは、特に特定的な記載がないかぎりは、この発明の範囲をそれらのみに限定する趣旨のものではない。
【００３１】
図１は、本発明の第１の実施の形態に係る画像形成装置の一例であるレーザビームプリンタの構成を示す図である。なお、同図において、図９と同一符号は同一又は相当部分を示している。
【００３２】
同図において、２１は給紙ローラ５から給紙されたシートＳを搬送する搬送手段である搬送ローラ対、２２は搬送ローラ対２１により搬送されたシートＳの斜行を補正すると共に所定のタイミングでシートＳをプロセスカートリッジ７内の感光ドラム３と転写ローラ９とのニップ（転写部）に搬送する搬送手段であるレジストローラ対である。
【００３３】
そして、給紙カセット４に積載されたシートＳは分離パッド６及び給紙ローラ５によって１枚ずつ給送された後、搬送ローラ対２１によりレジストローラ対２２に搬送され、この後、レジストローラ対２２により斜行が補正されると共に所定のタイミングで感光ドラム３と転写ローラ９とのニップ（転写部）に送られるようになっている。
【００３４】
図２は、このような搬送ローラ対２１及びレジストローラ対２２の構成を説明する図である。
【００３５】
搬送ローラ対２１及びレジストローラ対２２は、それぞれ駆動ローラ２３，２５と駆動ローラ２３，２５に圧接する従動ローラ２４，２６とにより構成されている。そして、それぞれの駆動ローラ２３，２５は、金属軸２３ａ，２５ａに１つ又は複数のローラ部２３ｂ，２５ｂを固着させた構成となっている。
【００３６】
ここで、本実施の形態において、搬送ローラ対２１の駆動ローラ（以下、第１駆動ローラという）２３のローラ部２３ｂの材質はクロロプレンゴムであり、レジストローラ対２２の駆動ローラ（以下、第２駆動ローラという）２５のローラ部２５ｂの材質はポリウレタン系熱可塑性エラストマーであり、いずれも絶縁部材である。
【００３７】
また、搬送ローラ対２１の従動ローラ（以下、第１従動ローラという）２４、レジストローラ対２２の従動ローラ（以下、第２従動ローラという）２６は、それぞれ固定された金属軸２４ａ，２６ａと、金属軸２４ａ，２６ａに回転自在に保持された１つ又は複数の従動コロ２４ｂ，２６ｂとから構成されている。なお、これら従動コロ２４ｂ，２６ｂの材質は、どちらもポリアセタールを用いている。
【００３８】
また、同図において、２７はレジストローラ対２２と転写ローラ９（転写部）との間に設けられ、レジストローラ対２２により搬送されたシートを転写ローラ９へ導くガイド手段である搬送ガイドであり、この搬送ガイド２７はシートガイド面を形成するガイド部２７ａと、ガイド部２７ａに形成された凹部である非ガイド部２７ｂとを備えている。
【００３９】
そして、この非ガイド部２７ｂには、シートＳが転写部に搬送される前に、帯電したシートＳを除電する除電手段であるシート状の導電部材２８ａ〜２８ｆが貼り付けられている。なお、この導電部材２８ａ〜２８ｆは、導電性不織布、もしくは導電性シート等により構成されるものであり、またこの導電部材２８ａ〜２８ｆの抵抗は１０ＭΩ・ｃｍ以下に保たれており、シートＳが高い電位を有する際に、気中放電によって電荷を除去するようになっている。
【００４０】
ここで、この導電部材２８ａ〜２８ｆは、図３の矢印で示すシート搬送方向と直交する方向で、かつ第２駆動ローラ２５のローラ部２５ｂのシート搬送方向下流に設けられている。これにより、レジストローラ対２２を通過する際、第２駆動ローラ２５のローラ部２５ｂと接触する位置に発生したシートＳの電荷は、シートＳが導電部材２８ａ〜２８ｆの上方を通過する際、導電部材２８ａ〜２８ｆとの間で発生する気中放電によって除去される。
【００４１】
そして、このようにシートＳの電荷を除去することにより、転写部においてトナー像を転写する際、画像乱れを発生させることなく、シートＳにトナー像を転写することができる。
【００４２】
なお、第１駆動ローラ２３のローラ部２３ｂは、第２駆動ローラ２５のローラ部２５ｂと、軸方向において同じ位置に設けられているため、搬送ローラ対２１を通過する際にシートＳに蓄積した電荷も同様に除去することができる。
【００４３】
ところで、一般的に導電性不織布等により構成される導電部材２８ａ〜２８ｆは摩擦係数の高い部材であることが多いため、シートＳが導電部材２８ａ〜２８ｆに接触した場合には、良好な搬送性を保持することができない。
【００４４】
そこで、本実施の形態においては、シートＳが導電部材２８ａ〜２８ｆに接触することがないよう図２に示すように、非ガイド部２７ｂに導電部材２８ａ〜２８ｆを貼り付けた場合、貼り付けた導電部材２８ａ〜２８ｆが記録紙ガイド部２７ａの下方となるように非ガイド部２７ｂを形成している。
【００４５】
これにより、搬送されるシートＳは導電部材２８ａ〜２８ｆに接触することはなく、また搬送されるシートＳが当接するガイド部２７ａは板金で構成されていて表面摩擦係数が低いことから、シートＳの良好な搬送性を保持することができる。
【００４６】
このように、レジストローラ対２２と転写部との間に搬送ガイド２７を設け、この搬送ガイド２７のガイド部２７ａの下方に導電部材２８ａ〜２８ｆを配するようにすることにより、転写前のシートＳの帯電に起因する転写画像乱れの発生を防ぐことができる。
【００４７】
また、導電ブラシの代わりに導電性不織布等により構成されるシート状の導電部材２８ａ〜２８ｆを使用することにより、低コストで小型なレーザビームプリンタ（画像形成装置）１００を提供することができる。
【００４８】
次に、本発明の第２の実施の形態について説明する。
【００４９】
図４は、本実施の形態に係る画像形成装置の要部拡大図である。なお、同図において、図２と同一符号は、又は相当部分を示している。
【００５０】
同図において、３２はシャッタ部材であり、搬送ローラ対２１から搬送されたシートＳは、このシャッタ部材３２を回動させて通過するようになっている。そして、このようにシートＳが、シャッタ部材３２を回動させて通過することにより、シートＳが斜行した場合においても、斜行が矯正されて転写部に到達するようになっている。これにより、より良好な画像形成精度を得ることができる。
【００５１】
また、３１は搬送ローラ対２１の下流に配された搬送手段である他の搬送ローラ対であり、この他の搬送ローラ対３１は、駆動ローラ（以下、第３駆動ローラという）３４と、従動ローラ（以下、第３従動ローラという）３３から構成されている。
【００５２】
ここで、この第３駆動ローラ３４は、金属軸３４ａに１つ又は複数のローラ部３４ｂを固着させた構成となっている。また、第３従動ローラ３３は固定された金属軸３３ａと、金属軸３３ａに回転自在に保持された複数の従動コロ３３ｂから構成されている。
【００５３】
なお、第３駆動ローラ３４のローラ部３４ｂ及び第３従動ローラ３３の従動コロ３３ｂは、既述した第１駆動ローラ２３のローラ部２３ｂ、第１従動ローラ２４の従動コロ２４ｂ、或は既述した第２駆動ローラ２５のローラ部２５ｂ、第２従動ローラ２６の従動コロ２６ｂと同じ材料で形成されている。
【００５４】
また、この第３従動ローラ３３は不図示の付勢手段により第３駆動ローラ３４に圧接しており、これにより従動ローラ３３は第２駆動ローラ３４の回転に伴って従動し、搬送されてきたシートＳを挟持搬送することができる。
【００５５】
ところで、シャッタ部材３２は、図５に示すように、第３従動ローラ３３の金属軸３３ａによって回動可能に支持されると共に、他の搬送ローラ対３１のニップの搬送方向下流から搬送方向上流に突出し、搬送ローラ対２１により搬送されたシートＳと当接する当接部３２ａ〜３２ｄを有している。
【００５６】
なお、このシャッタ部材３２は、自重によって矢印Ｙの方向に付勢されており、シートＳが当接するまでは、フレーム３７（図４参照）に設けられたリブ３７ａに、シャッタ部材３２に一体に設けられたストッパー３２ｅを当接させることにより、同図及び図４に示す姿勢、即ち搬送ローラ対２１によって搬送されてきたシートＳを当接部３２ａ〜３２ｄに当接させることができる姿勢を保持している。
【００５７】
これにより、搬送ローラ対２１によってシートＳが搬送されると、シートＳは、他の搬送ローラ対３１のニップに進入する前に、シャッタ部材３２の当接部３２ａ〜３２ｄに先端が当接する。この時、シャッタ部材３２には自重による回転モーメントが存在するため、シートＳの先端はせき止められ、これによりシートＳは図４に示すようにループを形成する。
【００５８】
ここで、シートＳが斜行した状態で搬送ローラ対２１から搬送されてきた場合、シートＳの先端は、図６に示すように当接部３２ａ〜３２ｄのうちの一部、例えば当接部３２ｃ，３２ｄにのみ当接するが、このようにループを形成する間に斜行が矯正され、他の当接面３２ａ，３２ｂにも当接するようになる。
【００５９】
そして、このようにシートＳが他の当接面３２ａ，３２ｂにも当接し、さらにこの後、ループが成長することによってシートＳにコシが発生し、この結果、シートＳは他の搬送ローラ対３１によって、図７に示すようにシャッタ部材３２をシートＳの通過を可能とする位置まで退避させながら、転写ローラ９（転写部）へ搬送される。
【００６０】
このように、シャッタ部材３２を設けることにより、シートＳが斜行して他の搬送ローラ対３１に搬送されてきた場合でも、斜行を補正することができ、良好な画像形成精度を得ることができる。
【００６１】
ところで、図４において、３５は他の搬送ローラ対３１から転写ローラ９へかけてのガイド部を形成する搬送ガイドであり、この搬送ガイド３５は、シート案内面を形成するガイド部３５ａと、ガイド部３５ａに形成された凹部である非ガイド部３５ｂとを備えている。
【００６２】
そして、この非ガイド部３５ｂには、除電手段であるシート状の導電部材３６ａ〜３６ｅが貼り付けられている。なお、この導電部材３６ａ〜３６ｅは、シート状の導電性不織布、もしくは導電性シート等により構成されるものであり、またこの導電部材３６ａ〜３６ｅの抵抗は１０ＭΩ・ｃｍ以下に保たれており、シートＳが高い電位を有する際に、気中放電によって電荷を除去するようになっている。
【００６３】
ここで、この導電部材３６ａ〜３６ｅは、図８の矢印で示すシート搬送方向と直交する方向で、かつ第３駆動ローラ３４のローラ部３４ｂのシート搬送方向下流に設けられている。これにより、他の搬送ローラ対３１を通過する際、第３駆動ローラ３４のローラ部３４ｂと接触する位置に発生したシートＳの電荷は、シートＳが導電部材３６ａ〜３６ｅの上方を通過する際、導電部材３６ａ〜３６ｅとの間で発生する気中放電によって除去される。
【００６４】
なお、第１駆動ローラ２３のローラ部２３ｂは、第３駆動ローラ３４のローラ部３４ｂと、軸方向において同じ位置に設けられているため、搬送ローラ対２１を通過する際にシートＳに蓄積した電荷も同様に除去することができる。
【００６５】
そして、このようにシートＳの電荷を除去することにより、転写部においてトナー像を転写する際、画像乱れを発生させることなく、シートＳにトナー像を転写することができる。
【００６６】
なお、シートＳが搬送される際、シートＳは自重によって図５の矢印Ｙに示すモーメントを有するシャッタ部材３２により図７に示すように下方へ押し付けられるが、この際、シートＳが導電部材３６ａ〜３６ｅに接触することがないよう、本実施の形態において、シャッタ部材３２の当接部３２ａ〜３２ｄは、シャッタ部材３２が回動した際、図８に示すようにガイド部３５ａに臨む位置に設けられている。
【００６７】
そして、このようにシャッタ部材３２が回動した際、シャッタ部材３２の当接部３２ａ〜３２ｄをガイド部３５ａに臨む位置に設けるようにすることにより、シートＳがシャッタ部材３２により下方へ押し付けられた場合でも、シートＳは導電部材３６ａ〜３６ｅに接触することない。
【００６８】
さらに、搬送される際、シートＳは比較的摩擦係数の少ない部材で構成された搬送ガイド３５のガイド部３５ａに接触するようになる。これにより、シートＳは搬送ガイド３５に沿ってスムーズに搬送されるようになり、良好な搬送性を保持することができる。
【００６９】
【発明の効果】
以上説明したように本発明によれば、搬送手段と転写部との間に設けられ、シートを転写部へ導くガイド手段のシートガイド面の下方に除電手段を配し、この除電手段により、転写部に搬送される前に、帯電したシートを除電するようにすることにより、転写前の帯電に起因する画像乱れの発生を防ぐことができ、かつ小型で低コストの画像形成装置を提供することができる。
【図面の簡単な説明】
【図１】本発明の第１の実施の形態に係る画像形成装置の一例であるレーザビームプリンタの構成を示す図。
【図２】上記レーザビームプリンタの搬送ローラ対及びレジストローラ対の構成を説明する図。
【図３】上記レーザビームプリンタに設けられた導電部材とレジストローラ対との位置関係を説明する上視図。
【図４】本発明の第２の実施の形態に係る画像形成装置の要部拡大図。
【図５】上記画像形成装置に設けられた他の搬送ローラ対とシャッタ部材とを説明する斜視図。
【図６】上記シャッタ部材の動作を説明する上視図。
【図７】上記シャッタ部材の動作を説明する側面図。
【図８】上記画像形成装置に設けられた導電部材と他の搬送ローラ対との位置関係を説明する上視図。
【図９】従来の画像形成装置の一例であるレーザビームプリンタの概略構成を示す図。
【符号の説明】
２Ａ            画像形成部
３              感光ドラム
５Ａ            給送ユニット
９              転写ローラ
２１            搬送ローラ対
２２            レジストローラ対
２７            搬送ガイド
２７ａ          ガイド部
２７ｂ          非ガイド部
２８ａ〜２８ｆ  導電部材
３１            他の搬送ローラ対
３２            シャッタ部材
３２ａ〜３２ｄ  当接部
３５            搬送ガイド
３５ａ          ガイド部
３５ｂ          非ガイド部
３６ａ〜３６ｅ  導電部材
１００          レーザビームプリンタ
Ｓ              シート
【図１】
2004299852.tif 000003
【図２】
2004299852.tif 000004
【図３】
2004299852.tif 000005
【図４】
2004299852.tif 000006
【図５】
2004299852.tif 000007
【図６】
2004299852.tif 000008
【図７】
2004299852.tif 000009
【図８】
2004299852.tif 000010
【図９】
2004299852.tif 000011